(57)【要約】  【課題】  簡易にサーマルヘッドのクリーニングを行うことを可能とするプラテン取り外し具を提供する。  【解決手段】  ユーザは、把持部１０２を持って、鉤状の先端部１０４をプラテン３０の軸２５の他方端部に引っ掛けて、その軸２５を第２支持部２３ｂから外し、さらに、プラテン３０の胴部を手で持って、その軸２５の一方端部を第１支持部２３ａから外すことで、容易にプラテン３０を取り外すことができる。このように、プラテン取り外し具１００を使って、サーマルヘッド３３に押圧されたプラテン３０を取り外すことにより、サーマルヘッド３３のクリーニングを簡易に行うことができる。【選択図】  図４
0003108436.tif 000002
【実用新案登録請求の範囲】
【請求項１】
軸線方向に長手形状をなす円柱状であり、かつ、軸の一方端部が第１支持部に支持されるとともに、前記軸の他方端部が第２支持部に支持され、かつ、前記軸の前記他方端部にギアが取り付けられるプラテンに、サーマルヘッドが押圧されている場合において、前記プラテンを取り外すためのプラテン取り外し具であって、
人間によって把持される把持部と、
前記ギアが取り付けられた前記軸の前記他方端部に引っ掛けることが可能な形状の引っ掛け部と、を備えるプラテン取り外し具。
【請求項２】
軸線方向に長手形状をなす円柱状であり、かつ、軸の一方端部が第１支持部に支持されるとともに、前記軸の他方端部が第２支持部に支持され、かつ、前記軸の前記他方端部にギアが取り付けられるプラテンに、サーマルヘッドが押圧されている場合において、前記プラテンを取り外すためのプラテン取り外し具であって、
人間によって把持される把持部と、
鉤状の先端部と、を備えるプラテン取り外し具。
【考案の詳細な説明】
【技術分野】
【０００１】
本考案は、プリンタからプラテンを取り外すためのプラテン取り外し具及びその関連技術に関する。
【背景技術】
【０００２】
一般的に、プリンタのプラテンにはサーマルヘッドが押圧されている。この押圧は、サーマルヘッドの背後からバネにより力を加えることにより行われる。そして、サーマルヘッドをクリーニングする際は、バネにより加えられる力を解除し、プラテンからサーマルヘッドを大きく離す。これにより、サーマルヘッドのクリーニングが可能になる。特許文献１〜３には、サーマルヘッドをクリーニングする際の手順が開示されている。
【０００３】
【特許文献１】特開平１０−２７８３７８号公報
【特許文献２】実開平６−８１７４３号公報
【特許文献３】実開平５−４１８１３号公報
【考案の開示】
【考案が解決しようとする課題】
【０００４】
しかしながら、バネによりサーマルヘッドに加えられる力を解除する際には、バネの反発力に抗して力を加える必要があるが（特許文献１及び２参照）、使用されるバネの弾性力は強いため、人によっては、力の解除が困難な場合もある。また、力を解除するための機構を特別に設けることもできるが（特許文献３参照）、故障やコスト高の原因になる。以上の理由により、別の観点からのクリーニング手順の開発が要望される。
【０００５】
そこで、本考案は、簡易にサーマルヘッドのクリーニングを行うことを可能とするプラテン取り外し具及びその関連技術を提供することを目的とする。
【課題を解決するための手段】
【０００６】
本考案の第１の観点によれば、プラテン取り外し具は、プラテンにサーマルヘッドが押圧されている場合において、前記プラテンを取り外すためのプラテン取り外し具である。このプラテンは、軸線方向に長手形状をなす円柱状であり、かつ、軸の一方端部が第１支持部に支持されるとともに、前記軸の他方端部が第２支持部に支持され、かつ、前記軸の前記他方端部にギアが取り付けられる。このプラテン取り外し具は、人間によって把持される把持部と、前記ギアが取り付けられた前記軸の前記他方端部に引っ掛けることが可能な形状の引っ掛け部と、を備える。
【０００７】
この構成によれば、ユーザは、把持部を持って、引っ掛け部をプラテンの軸の他方端部に引っ掛けて、その軸を第２支持部から外し、さらに、プラテンの胴部を手で持って、その軸の一方端部を第１支持部から外すことで、容易にプラテンを取り外すことができる。このように、プラテン取り外し具を使って、サーマルヘッドに押圧されたプラテンを取り外すことにより、サーマルヘッドのクリーニングを簡易に行うことができる。
【０００８】
本考案の第２の観点によれば、プラテン取り外し具は、プラテンにサーマルヘッドが押圧されている場合において、前記プラテンを取り外すためのプラテン取り外し具である。このプラテンは、軸線方向に長手形状をなす円柱状であり、かつ、軸の一方端部が第１支持部に支持されるとともに、前記軸の他方端部が第２支持部に支持され、かつ、前記軸の前記他方端部にギアが取り付けられる。このプラテン取り外し具は、人間によって把持される把持部と、鉤状の先端部と、を備える。
【０００９】
この構成によれば、ユーザは、把持部を持って、鉤状の先端部をプラテンの軸の他方端部に引っ掛けて、その軸を第２支持部から外し、さらに、プラテンの胴部を手で持って、その軸の一方端部を第１支持部から外すことで、容易にプラテンを取り外すことができる。このように、プラテン取り外し具を使って、サーマルヘッドに押圧されたプラテンを取り外すことにより、サーマルヘッドのクリーニングを簡易に行うことができる。
【考案を実施するための最良の形態】
【００１０】
以下、本考案の実施の形態について、図面を参照しながら説明する。なお、図中、同一または相当部分については同一の参照符号を付してその説明を援用する。
【００１１】
図１は、本考案の実施の形態におけるプリンタの外観斜視図である。図１に示すように、プリンタ本体１の表面には、フロント側から、電源ＬＥＤ１７、電源スイッチ１５、フィードボタン１３、用紙排出部３、及び用紙カバー１１が設けられる。
【００１２】
電源ＬＥＤ１７は、電源スイッチ１５がオンになったときに点灯する。用紙排出部３は、ビス９により、プリンタ本体１に取り付けられる。用紙排出部３には、横長の用紙排出口７及びそれに沿って鋸歯状の用紙カッター５が形成される。図示していないが、プリンタ本体１には、ロール紙がセットされており、ロール紙を使い切ったときは、用紙カバー１１を開けて交換する。ロール紙は感熱紙である。フィードボタン１３を押下すると、ロール紙を送ることができる。
【００１３】
図２（ａ）は、図１のプリンタのプラテン３０（後述）を取り外すときに使用するプラテン取り外し具１００の外観斜視図である。図２（ｂ）は、図２（ａ）のプラテン取り外し具１００の側面図である。図２（ａ）及び図２（ｂ）に示すように、プラテン取り外し具１００は、ユーザによって把持される把持部１０２を有する。また、プラテン取り外し具１００の先端部１０４は、円筒（あるいは円柱）状のものを引っ掛けることができる形状になっている。つまり、引っ掛ける対象である軸受け２７ｂ（後述）が円筒状だからである。図では、プラテン取り外し具１００の先端部を鉤状にしている。鉤状とは、図に示したように、曲線状に曲がった形状の他、鋭角に折れ曲った形状、直角に折れ曲った形状、及び曲線と直線とから形成された曲がった形状等を含む。
【００１４】
次に、プラテン３０を取り外す手順を説明する。
【００１５】
図３は、図１のプリンタから用紙排出部３を取り外した状態の外観斜視図である。図４は、プラテン取り外し具１００を使用してプラテン３０を取り外す際の手順の説明図である。図３に示すように、ビス９を外して、用紙排出部３を取り外す。そうすると、用紙排出部３に覆われていた開口からプラテン３０等が露出する。
【００１６】
図４に示すように、プラテン３０は、軸線方向に長手形状をなす円柱状である。プラテン３０の軸２５の一方端部には、円筒状の軸受け２７ａが軸２５の周りに回転可能に挿入されるとともに、軸２５の他方端部にも、円筒状の軸受け２７ｂが軸２５の周りに回転可能に挿入される。
【００１７】
軸２５の一方端部（軸受け２７ａ）が第１支持部２３ａに支持されるとともに、軸２５の他方端部（軸受け２７ｂ）が第２支持部２３ｂに支持される。この場合、軸受け２７ａは、軸押圧部材３４ａにより、第１支持部２３ａに押圧され、軸受け２７ｂは、軸押圧部材３４ｂにより、第２支持部２３ｂに押圧される。また、軸２５の先端部には、ギア２９が取り付けられる。このギア２９を他のギア（図示せず）を介してモータ３５で駆動することにより、プラテン３０を回転させる。
【００１８】
サーマルヘッド３３は、サーマルヘッド保持部材３１に固着されている。バネ支持部材１９は、プリンタ本体１のハウジング内に堅固に固定される。バネ２１ａ及び２１ｂは、バネ支持部材１９とサーマルヘッド保持部材３１との間で支持される。従って、バネ２１ａ及び２１ｂにより、サーマルヘッド３３は、プラテン３０に押圧される。
【００１９】
ユーザは、プラテン取り外し具１００の把持部１０２を把持して、鉤状の先端部１０４を、ギア２９が取り付けられているほうの軸受け２７ｂ（軸２５の一方端部）に引っ掛けて、軸押圧部材３４ｂにより第２支持部２３ｂに押圧されている軸２５の一方端部を第２支持部２３ｂから外す。さらに、ユーザはプラテン３０の胴部を手で持って、軸２５の他方端部も、第１支持部２３ａから外して、プラテン３０を取り外す。
【００２０】
図５は、プラテン取り外し具１００を使用してプラテン３０を取り外した状態の説明図である。図５に示すように、プラテン３０を取り外すと、サーマルヘッド３３にライン状に形成された発熱体３７が露出するので、ユーザは、この発熱体３７を、綿棒などでクリーニングすることができる。
【００２１】
以上のように、本実施の形態では、ユーザは、把持部１０２を持って、鉤状の先端部１０４をプラテン３０の軸２５の他方端部に引っ掛けて、その軸２５を第２支持部２３ｂから外し、さらに、プラテン３０の胴部を手で持って、その軸２５の一方端部を第１支持部２３ａから外すことで、容易にプラテン３０を取り外すことができる。このように、プラテン取り外し具１００を使って、サーマルヘッド３３に押圧されたプラテン３０を取り外すことにより、サーマルヘッド３３のクリーニングを簡易に行うことができる。
【００２２】
なお、本考案は、上記の実施の形態に限られるものではなく、その要旨を逸脱しない範囲で種々の態様において実施することが可能である。
【図面の簡単な説明】
【００２３】
【図１】本考案の実施の形態におけるプリンタの外観斜視図。
【図２】（ａ）図１のプリンタのプラテンを取り外すときに使用するプラテン取り外し具の外観斜視図。（ｂ）図２（ａ）のプラテン取り外し具の側面図。
【図３】図１のプリンタから用紙排出部を取り外した状態の外観斜視図。
【図４】図２のプラテン取り外し具を使用してプラテンを取り外す際の手順の説明図。
【図５】図２のプラテン取り外し具を使用してプラテンを取り外した状態の説明図。
【符号の説明】
【００２４】
１…プリンタ本体、３…用紙排出部、５…用紙カッター、７…用紙排出口、９…ビス、１１…用紙カバー、１３…フィードボタン、１５…電源スイッチ、１７…電源ＬＥＤ、１９…バネ支持部材、２１ａ，２１ｂ…バネ、２３ａ…第１支持部、２３ｂ…第２支持部、２５…軸、２７ａ，２７ｂ…軸受け、２９…ギア、３１…サーマルヘッド保持部材、３３…サーマルヘッド、３４ａ，３４ｂ…軸押圧部材、３５…モータ、３７…発熱体、１００…プラテン取り外し具、１０２…把持部、１０４…先端部
【図１】
0003108436.tif 000003
【図２】
0003108436.tif 000004
【図３】
0003108436.tif 000005
【図４】
0003108436.tif 000006
【図５】
0003108436.tif 000007